(57)【要約】【課題】  本発明はアルミ管を用いることなく、走水を防止することができるルース型光ファイバコードを得るにある。【解決手段】  光ファイバ心線と、この光ファイバ心線の外周部を覆う抗張力繊維層と、この抗張力繊維層の外周部を覆う外被とからなる光ファイバコードにおいて、前記抗張力繊維層内に少なくとも１本以上の吸水ヤーンを設けてルース型光ファイバコードを構成している。【選択図】  図１
2008191209.tif 000002
【特許請求の範囲】
【請求項１】
光ファイバ心線と、この光ファイバ心線の外周部を覆う抗張力繊維層と、この抗張力繊維層の外周部を覆う外被とからなるルース型光ファイバコードにおいて、前記抗張力繊維層内に少なくとも１本以上の吸水ヤーンを設けたことを特徴とするルース型光ファイバコード。
【請求項２】
光ファイバ心線と、この光ファイバ心線の外周部を覆う抗張力繊維層と、この抗張力繊維層の外周部を覆う外被とからなるルース型光ファイバコードにおいて、前記抗張力繊維層を形成する抗張力繊維に吸水ポリマを含浸あるいは付着させたことを特徴とするルース型光ファイバコード。
【請求項３】
ルース型光ファイバコードの端部にコネクタが取付けられて成端処理されたことを特徴とする請求項１、２いずれかのコネクタ付きルース型光ファイバコード。
【発明の詳細な説明】
【技術分野】
【０００１】
本発明はルース型光ファイバコードに関する。
【背景技術】
【０００２】
従来のルース型光ファイバコードは屋内で使用しているため、耐水特性が不要と考えられていたため光ファイバ心線と、この光ファイバ心線の外周部を覆う抗張力繊維層と、この抗張力繊維層の外周部を覆う外被とで構成されている。
【０００３】
このため、耐水特性がないため、ルース型光ファイバコードを用いたコード型ケーブルでは１個所どこかに水が浸入すると抗張力繊維層の抗張力繊維間を水が伝わるいわゆる走水という現象がおきる。
このため、屋外等で使用する場合、アルミ管等で覆って使用しているため、コスト高になるという欠点があった。
【特許文献１】特開平９−２４３８７７
【発明の開示】
【発明が解決しようとする課題】
【０００４】
本発明は以上のような従来の欠点に鑑み、アルミ管を用いることなく、走水を防止することができるルース型光ファイバコードを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は光ファイバ心線と、この光ファイバ心線の外周部を覆う抗張力繊維層と、この抗張力繊維層の外周部を覆う外被とからなるルース型光ファイバコードにおいて、前記抗張力繊維層内に少なくとも１本以上の吸水ヤーンを設けてルース型光ファイバコードを構成している。
【発明の効果】
【０００７】
以上の説明から明らかなように、本発明にあっては次に列挙する効果が得られる。
【０００８】
（１）光ファイバ心線と、この光ファイバ心線の外周部を覆う抗張力繊維層と、この抗張力繊維層の外周部を覆う外被とからなるルース型光ファイバコードにおいて、前記抗張力繊維層内に少なくとも１本以上の吸水ヤーンを設けたので、抗張力繊維層へ水が浸入した場合、吸水ヤーンが吸水して膨張し、水が浸入した部位以外への水の侵入を効率よく阻止することができる。
【０００９】
（２）前記（１）によって、抗張力繊維層内に少なくとも１本以上の吸水ヤーンを設けるだけでよいので、容易に製造することができる。
【００１０】
（３）前記（１）によって、吸水特性を有するので、コード型ファイバケーブル、フラットケーブル、光ファイバケーブルの光ファイバコードに使用することにより、耐水性を有するコード型ファイバケーブル、フラットケーブル、光ファイバケーブルにできる。
【００１１】
（４）請求項２も前記（１）〜（３）と同様な効果が得られる。
【００１２】
（５）請求項３も前記（１）〜（３）と同様な効果が得られるとともに、外被がコネクタに押し戻されても光ファイバ心線に直接その力がかかることなく、(スプリングバックを吸収する)光伝送特性が良い。
【発明を実施するための最良の形態】
【００１３】
以下、図面に示す本発明を実施するための最良の形態により、本発明を詳細に説明する。
【００１４】
図１および図２に示す本発明を実施するための最良の第１の形態において、１は本発明の吸水特性を有するルース型光ファイバコードで、このルース型光ファイバコード１は光ファイバ心線２と、この光ファイバ心線２の外周部を多数本のこの抗張力繊維で、該抗張力繊維間に隙間を有する用に覆う抗張力繊維層３と、この抗張力繊維層３の外周部を覆う外被４と、前記抗張力繊維層３内に所定間隔で３本配置された吸水ヤーン５、５、５とで構成されている。
【００１５】
上記構成のルース型光ファイバコード１は外被４が損傷して、該損傷部より内部に水が浸入した場合、抗張力繊維層３内に配置された吸水ヤーン５、５、５が水を吸収して膨張し、他の部位への走水を阻止することができる。
このように構成されたルース型光ファイバコード１は図３に示すように、２本のルース型光ファイバコード１、１の外被４、４の一部が接続された光ファイバケーブル６、図４に示すようにルース型光ファイバコード１の両側部にテンションメンバー７、７を並列させ、中央部の上下部に台形状の凹部８、８が形成され、両端中央部に切欠部９、９が形成された長方形状のシース１０で覆ったコード型光ファイバケーブル１１、図５に示すように２本のルース型光ファイバコード１、１の両側部にテンションメンバー７、７を並列させ、中央部の上下部に台形状の凹部８、８が形成され、両端中央部に切欠部９、９が形成された長方形状のシース１０で覆ったコード型光ファイバケーブル１１Ａ、図６に示すようにテンションメンバー７の両側部に２本のルース型光ファイバコード１、１を並列させ、その外周部を楕円形状のシース１０Ａで覆ったフラット光ケーブル１２、図７に示すようにテンションメンバー７Ａの外周部を覆うように複数本のルース型光ファイバコード１を少なくとも１層以上、本実施の形態では２層に配置して、その外周部をシース１０Ｂで覆った光ファイバケーブル１３等に使用される。
なお、図８および図９に示すように、抗張力繊維層３内に１本の吸水ヤーン５を配置したルース型光ファイバコード１Ａであっても、走水防止効果がある。
前記吸水ヤーン５はポリプロピレン製のスプリットヤーンを使用できる。
前記抗張力繊維はアラミド繊維、例えばケブラー(登録商標)を使用することができる。使用するケブラの量はルース型光ファイバコードの径により異なるが、光ファイバ心線２の径が０．９ｍｍの場合、ルース型光ファイバコードの外径が１．７ｍｍであれば３５００デニール程度、ルース型光ファイバコードの外径が２ｍｍであれば５０００デニール程度、ルース型光ファイバコードの外径が２．８ｍｍであれば６５００デニール程度となる。吸水ヤーン５の量は抗張力繊維の５〜５０重量％が好ましい。例えば光ファイバ心線２の径が０．９ｍｍで外径２ｍｍ、長さが１０ｍのルース型光ファイバコードであって含まれるケブラーが５０００デニールである場合、吸水ヤーン５がなければ１０分間で端から端まで走水するが、５００デニールの吸水ヤーン５を１本含ませると走水する距離は２ｍであり、走水防止効果が現れた。同じ寸法のルース型光ファイバコードに５００デニールの吸水ヤーン５を３本含ませると走水距離は１ｍ未満であり、さらに走水防止効果が向上した。
[発明を実施するための異なる形態]
【００１６】
図１０および図１１示す本発明を実施するための第２の形態において、前記本発明を実施するための最良の第１の形態と主に異なる点は、抗張力繊維層３を形成する抗張力繊維にポリアクリル酸塩等の吸水ポリマ１４を含浸あるいは付着したものを用いた点で、このような吸水ポリマ１４を含浸あるいは付着した抗張力繊維を用いた抗張力繊維層３にしても、前記本発明を実施するための最良の第１の形態と同様な作用効果が得られる。
【産業上の利用可能性】
【００１７】
本発明はルース型光ファイバコードを製造する産業で利用される。
【図面の簡単な説明】
【００１８】
【図１】本発明を実施するための最良の第１の形態の斜視図。
【図２】図１の２−２線に沿う拡大断面図。
【図３】本発明を実施するための最良の第１の形態の光ファイバケーブルに用いた説明図。
【図４】本発明を実施するための最良の第１の形態のコード型光ファイバケーブルに用いた説明図。
【図５】本発明を実施するための最良の第１の形態の異なるコード型光ファイバケーブルに用いた説明図。
【図６】本発明を実施するための最良の第１の形態のフラット光ケーブルに用いた説明図。
【図７】本発明を実施するための最良の第１の形態の光ファイバケーブルに用いた説明図。
【図８】吸水ヤーンを配置した斜視図。
【図９】図８の９−９線に沿う拡大断面図。
【図１０】本発明を実施するための第２の形態の斜視図。
【図１１】図１０の１１−１１線に沿う拡大断面図。
【符号の説明】
【００１９】
１、１Ａ：ルース型光ファイバコード、
２、    ２：光ファイバ心線、
３：抗張力繊維層、                                    ４：外被、
５：吸水ヤーン、                            ６：光ファイバケーブル、
７、７Ａ：テンションメンバー、            ８：台形状の凹部、
９：切欠部、                                                １０、１０Ａ、１０Ｂ：シース、
１１、１１Ａ：コード型光ファイバケーブル、
１２：フラット光ケーブル、        １３：光ファイバケーブル、
１４：吸水ポリマ。
【図１】
2008191209.tif 000003
【図２】
2008191209.tif 000004
【図３】
2008191209.tif 000005
【図４】
2008191209.tif 000006
【図５】
2008191209.tif 000007
【図６】
2008191209.tif 000008
【図７】
2008191209.tif 000009
【図８】
2008191209.tif 000010
【図９】
2008191209.tif 000011
【図１０】
2008191209.tif 000012
【図１１】
2008191209.tif 000013